(57)【特許請求の範囲】
【請求項１】
蓋部１０は蓋面片１１、１２、１３および１４が連設し、
周壁部３０は周壁面３１、３２、３３および３４が連設し、
底部４０は底面片４１、４２、４３および４４が連設し、
かつ、前記蓋部１０、前記周壁部３０および前記底部４０が上下に連設した１枚の段ボール１００から、ほぼ直方体状に折り上げられ、
前記底面片４２に嵌合凹部４６を備えるとともに、前記底面片４４に嵌合凸部４７を備えることにより、
前記底面片４２を前記底面片４４に係止させ、
次いで、前記底面片４１および４３を前記底面片４２および４４に係止させてある段ボールケースにおいて、
前記底面片４２および４４に直角三角形状の舌片４５を備え、
前記底面片４１および４３は、それぞれ折り目Ｈを介して底面片４１ａおよび４３ａを備え、
前記舌片４５を折り目Ｋの位置から段ボールケース２００の内方へ折り曲げた跡に係止孔４９と円弧状の切れ目Ｙが形成され、
前記底面片４１ａおよび前記底面片４３ａを前記折り目Ｈの位置から山形状に折りながら、前記曲線切れ目Ｙに沿って嵌入させ、
かつ、前記底面片４１ａおよび４３ａを前記係止孔４９に係止させ、
かつ、前記蓋面片１３は折り目Ｌを介して蓋面片１３ｂを備え、
前記蓋面片１３ｂの端部に、折り目Ｍを介して係止片２０が連設し、
前記係止片２０に係止溝２１を備え、
前記周壁面３２には、折り目Ｎを介して覆い３７を備えるとともに、
この上部に角部３８を備え、
前記係止片２０を前記段ボールケース２００の内方へ嵌入させ、
前記係止溝２１を前記角部３８に係止させた段ボールケースであって、 
前記舌片４５には、切れ目Ｚの線上に前記折り目Ｋを備え、
前記舌片４５は、前記折り目Ｋの位置から段ボールケース２００の内方へ折れる構成とし、かつ、この折り目Ｋは、切れ目Ｚと折り目Ｋとを合わせた長さの半分もしくは適宜の長さとすることを特徴とする段ボールケース。
【請求項２】
前記係止片２０に前記係止溝２１を一個または複数個備えることを特徴とする請求項１記載の段ボールケース。
【発明の詳細な説明】
【技術分野】
【０００１】
本発明は、一枚の段ボールからほぼ直方体状に折り上げたワイヤレスの段ボールケースに関する。詳しくは、蓋部は、閉じ易く、一旦物を中に入れた後は、蓋が簡単に外れることが無く、また、青果物の生育度に応じて一つの箱に一杯収めることができるように、蓋を外方へ拡開可能に工夫したものであり、一方、底部については、型崩れや中に入れた物の重量によって底が抜けたりする等の不具合を確実に無くすことができるようなワイヤレスの段ボールケースに関する。
【背景技術】
【０００２】
段ボールを折り上げる際、梱包後の姿勢を保持するにあたり、留め金具のワイヤを使用することが多い。一方、ワイヤを使用せず梱包の姿勢を保持する段ボールケースについては次のような例がある。
【０００３】
本件出願人は、ワイヤレス段ボールケースについて、先に、発明を提案している（特許文献１）。
【０００４】
【特許文献１】特願２００２−３４５４３９号
【０００５】
上記特許文献１には、以下に説明するような提案をしている。即ち、ワイヤレス段ボールケースは、１枚の段ボールから箱状に折り上げたものであって、それぞれ複数の片が折り曲げられた蓋部および底部と、そして、これらと一体連接した周壁とからなる。蓋部は蓋面片が一体連接し、蓋部を形成している。そして、嵌合片を嵌合用切欠に嵌め込み、舌片により嵌合片を押し上げることにより蓋部を閉じる。一方、底部は底面片が一体連接し、相互に係止させて底部を形成する。そして、係止孔に嵌合片を係止させて底部を閉じるように構成されている。
【発明の開示】
【発明が解決しようとする課題】
【０００６】
しかしながら、上記の特許文献１の提案では、次のような問題を抱えていた。
【０００７】
即ち、問題点の第一は、底部の嵌合片同士の係止強度が十分でないため、重い青果物を入れると係止部が外れて底抜けすることがあった。また、中の物の重量によっては、段ボールケースが捩れて変形し、遂には箱崩れてしまうことがあった。
【０００８】
第二に、個々に生育度が異なり、大きさがまちまちな青果物を複数個段ボールケースに入れる場合、蓋片同士の係止が十分でなくあるいは係止できないことがあり、中に入れる物の大きさに応じて段ボールケースの容量を変えることができるという融通性に欠けていた。
【０００９】
そこで、本発明は、上記事情に鑑みて、底部の係止強度を向上させるとともに、生育の度合いによって大きさの異なる青果物を複数個入れても蓋部が外方へ拡がるように工夫し、青果物の大きさに応じて蓋部を多段に係止可能にする段ボールケースを提供することを目的とする。
【課題を解決するための手段】
【００１０】
上記目的を達成するために、請求項１の発明は蓋部１０は蓋面片１１、１２、１３および１４が連設し、周壁部３０は周壁面３１、３２、３３および３４が連設し、底部４０は底面片４１、４２、４３および４４が連設し、かつ、前記蓋部１０、前記周壁部３０および前記底部４０が上下に連設した１枚の段ボール１００から、ほぼ直方体状に折り上げられ、前記底面片４２に嵌合凹部４６を備えるとともに、前記底面片４４に嵌合凸部４７を備えることにより、前記底面片４２を前記底面片４４に係止させ、次いで、前記底面片４１および４３を前記底面片４２および４４に係止させてある段ボールケースにおいて、前記底面片４２および４４に直角三角形状の舌片４５を備え、前記底面片４１および４３は、それぞれ折り目Ｈを介して底面片４１ａおよび４３ａを備え、前記舌片４５を折り目Ｋの位置から段ボールケース２００の内方へ折り曲げた跡に係止孔４９と円弧状の切れ目Ｙが形成され、前記底面片４１ａおよび前記底面片４３ａを前記折り目Ｈの位置から山形状に折りながら、前記曲線切れ目Ｙに沿って嵌入させ、かつ、前記底面片４１ａおよび４３ａを前記係止孔４９に係止させ、かつ、前記蓋面片１３は折り目Ｌを介して蓋面片１３ｂを備え、前記蓋面片１３ｂの端部に、折り目Ｍを介して係止片２０が連設し、前記係止片２０に係止溝２１を備え、前記周壁面３２には、折り目Ｎを介して覆い３７を備えるとともに、この上部に角部３８を備え、前記係止片２０を前記段ボールケース２００の内方へ嵌入させ、前記係止溝２１を前記角部３８に係止させた段ボールケースであって、  前記舌片４５には、切れ目Ｚの線上に前記折り目Ｋを備え、前記舌片４５は、前記折り目Ｋの位置から段ボールケース２００の内方へ折れる構成とし、かつ、この折り目Ｋは、切れ目Ｚと折り目Ｋとを合わせた長さの半分もしくは適宜の長さとすることを特徴とする段ボールケースである。また、請求項２の発明は、請求項１の発明の上記特徴に加えて、前記係止片２０に前記係止溝２１を一個または複数個備えることを特徴とする段ボールケースである。
【００１５】
ここで、本明細書でいう「ワイヤレス段ボールケース」とは、折り目を介して連設した、蓋部、周壁部および底部からなるほぼ矩形状をした段ボール１００から、折り目に沿って折り上げ、蓋部、周壁部および底部を係止するようにしたほぼ直方体状の段ボールケースであって、段ボールを折り上げる際に、その姿勢を保持するにあたり、止め金具のワイヤを使用しないものである。
【発明の効果】
【００１６】
本発明にかかわるワイヤレス段ボールケースによれば、蓋部は、閉じ易く、一旦物を中に入れた後は、蓋が簡単に外れるようなことが無く、また、青果物の生育度に応じて一つの箱に一杯詰めることができる。一方、底部については、従来対比係止強度を二割以上アップしたので、型崩れや中に入れた物が重みで底が抜けたりする等の不具合を確実に無くすことができる。
【発明を実施するための最良の形態】
【００１７】
本発明の実施の形態を、添付図面に例示した本発明の実施例に基づいて以下に具体的に説明する。
【実施例１】
【００１８】
先ず、本発明の実施例１ついて、図１〜図５を参照しながら説明する。図１は、本実施例の段ボールケース２００の展開図で、段ボール１００である。図２は、同上、底部を閉じる途中で二つの底面片を係止した状態の斜視図である。図３は、同上、底部を閉じる途中で、三つの底面片を係止した状態の斜視図である。図４は、同上、底部を閉じた状態の斜視図である。図５は、同上、蓋部を閉じる途中の状態の斜視図である。
【００１９】
ほぼ矩形状をした段ボール１００には、所定の箇所に複数の折り目を設けてあるので、それらの設け方について以下に説明する。図１に示すように、段ボール１００は、左右方向の折り目に沿って、上下方向に蓋部１０、周壁部３０および底部４０に三分割される。段ボール１００の上下および左右の方向については、上記の通りとし、他の実施例についても同様である。図中の点線は折り目を示し、他の実施例についても同様である。上下方向に蓋部、周壁部および底部に三分割されるように、上から折り目Ａを左右方向に備え、これに平行に折り目Ｂ、そして、これらに平行に蓋部１０に二箇所の折り目Ｇおよび底部４０に二箇所の折り目Ｈを備える。そして、二段目の周壁部３０には上記した折り目に対し直角方向に左から折り目Ｃ、折り目Ｄ、折り目Ｅおよび折り目Ｆをそれぞれ平行に備える。一段目の蓋部１０は切れ目を介して左右に蓋面片１１、１２、１３および１４に分割され、蓋面片１２は折り目Ｇを介して上下に蓋面片１２ａ、１２ｂに分割され、同様に蓋面片１４は折り目Ｇを介して上下に蓋面片１４ａ、１４ｂに分割される。蓋面片１１および１３には左右に舌片１５を備え、舌片１５は折り目Ｊの位置から、連続する切れ目Ｓ、Ｔ、ＵおよびＶに沿ってケースの内方へ折れ曲がる。ここで、曲線切れ目Ｕは円弧状を示し、舌片１５の輪郭は図のようにほぼ直角三角形をかたどる。この直角三角形は直角を挟む直線状の二辺および凹状曲線の斜辺から構成され、折り目Ｊを直角を挟む一辺に備える。そして、舌片１５が切れ目に沿ってケースの内方へ折れ曲がった跡の先端部には係止孔１６が形成される。また、蓋面片１２および１４の上端部にはそれぞれ左右二箇所の係止孔１７を備える。二段目の周壁部３０については、折り目を介して左右に周壁面３１、３２、３３および３４に分割される。右端は糊代片３５である。周壁面３１および３３には指孔３６を備える。三段目の底部４０は切れ目を介して左右に底面片４１、４２、４３および４４に分割され、底面片４１は折り目Ｈを介して上下に底面片４１ａ、４１ｂに分割され、同様に底面片４３は折り目Ｈを介して上下に底面片４３ａ、４３ｂに分割される。底面片４２および４４には左右に舌片４５を備え、舌片４５は折り目Ｋの位置から、連続する切れ目Ｗ、Ｘ、ＹおよびＺに沿ってケースの内方へ折れ曲がる。ここで、舌片４５を構成する切れ目Ｚは、周壁面３２、３４の底辺の折り目Ｂに平行とするが、舌片４５が底面片４１ａ、４１ｂによって折り目Ｋを支点としてケースの内方へ押され、上下に揺動する機能を備えれば良い。従って、切れ目Ｚは、必ずしも平行では無く、折り目Ｂに対し３０度前後傾斜するものでも良い。また、折り目Ｋはこの切れ目Ｚの線上に備え、かつ、この折り目Ｋの長さは、切れ目Ｚと折り目Ｋとを合わせた長さの半分もしくは適宜の８割程度の長さまで可能である。他の実施例についても同様である。また、曲線切れ目Ｙは円弧状を示し、舌片４５の輪郭は図のようにほぼ直角三角形をかたどる。この直角三角形は直角を挟む直線状の二辺および凹状曲線の斜辺から構成され、折り目Ｋを直角を挟む一辺に備える。そして、舌片４５が切れ目に沿ってケースの内方へ折れ曲がった跡の先端部には係止孔４９が形成される。また、底面片４２に嵌合凹部４６を、底面片４４には嵌合凸部４７を備える。底面片４１および４３の上端部にはそれぞれ左右二箇所の係止孔４８を備える。底部４０については、他の実施例についても同様な構成である。
【００２０】
上部１０の蓋面片１１および１３にほぼ直角三角形状の舌片１５を備え、これに切れ目Ｕが円弧状に形成され、この切れ目に沿って蓋面片を嵌入、係止する構成が本実施例の特徴である。同様に、底部４０の底面片４２および４４にほぼ直角三角形状の舌片４５を備え、これに曲線切れ目Ｙが円弧状に形成され、この切れ目に沿って底面片を嵌入、係止する構成が底部に関し、本発明の全ての実施例についての特徴である。
【００２１】
段ボール１００は以上の構成であり、以下に折り上げる手順について説明する。
【００２２】
先ず、周壁部３０から折り上げる。折り目Ｃ〜Ｆの位置から、周壁面３１〜３４を四角に囲うように折り曲げ、最後に糊代片３５を周壁面３１の内側先端部に糊付けすることにより周壁部３０の折り上げが完了する。
【００２３】
次に、底部４０を上にして折り上げる。底面片４４を折り目Ｂの位置から内方へ９０度以上折り曲げ、次に、対向側から底面片４２を折り目Ｂの位置から内方へ９０度以上折り曲げながら嵌合凹部４６を上から嵌合凸部４７に係止する。図２に示すように、底部４０の中央部が傾斜して凹んだ状態になる。次いで、底面片４１は折り目Ｈの位置から山形状に折れながら、先方の底面片４１ａの両端部を両側の曲線切れ目Ｙに沿ってケースの内方へ嵌入する。この時、底面片４１ａは舌片４５の上をケースの内方へ滑りながら嵌入し、遂には、係止孔４８が係止孔４９にぶつかり係止する。このようにして底面片４１を閉じた状態を図３に示す。同様に、対向側の底面片４３を係止して底部４０を閉じた状態を図４に示す。底部４０の中央部が傾斜して凹んだ状態にある。段ボールケース２００の底面片４２と４４方向を前後方向とし、底面片４１と４３を左右方向とすると、底部４０の前後方向で底面片４２を４４に係止し、その上からさらに左右方向で底面片４１を底面片４２および４４に、底面片４３を底面片４２および４４に係止する。
【００２４】
最後に、蓋部１０を折り上げる。先ず、蓋面片１３を折り目Ａの位置から内方へ９０度以上折り曲げ、次に、対向側から底面片１１を折り目Ａの位置から内方へ９０度以上折り曲げる。次いで、蓋面片１４は折り目Ｇの位置から山形状に折れながら、先方の蓋面片１４ａの両端部が両側の曲線切れ目Ｕに沿ってケースの内方へ嵌入する。この時、蓋面片１４ａは舌片１５の上をケースの内方へ滑りながら嵌入し、遂には、係止孔１７が係止孔１６にぶつかり係止する。このようにして蓋面片１４を閉じた状態を図５に示す。同様に、対向側の蓋面片１２を係止する。段ボールケース２００の蓋面片１２と１４方向を前後方向とし、底面片１１と１３を左右方向とすると、蓋部１０の前後方向で蓋面片１２および１４を蓋面片１１および１３に係止する。なお、段ボールケース２００の方向については、他に、蓋部１０と底部４０との方向を上下方向とし、他の実施例についても同様である。
【００２５】
以上のようにして段ボール１００から段ボールケース２００へと折り上げられ、次に図３および図４を参照しながら作用について説明する。
【００２６】
段ボールケース２００の底部４０の前後方向で底面片４２を４４に係止し、さらに、これらの上から底面片４１と４３を係止する。この底面片４１と４３を係止する過程で、舌片４５の作用を説明する。図３に示すほぼ直角三角形の舌片４５は底面片４１と４３によって左右上方から内方へ押し曲げられる。この時、舌片４５は折り目Ｋの位置からケースの内方へ曲がり、この跡には、底面片４２および４４に曲線切れ目Ｙが形成される。この曲線切れ目Ｙは円弧状に形成され、一方、舌片４５は折り目Ｋの位置からケースの内方へ押し曲げられるので、曲線切れ目Ｙと舌片４５との間に隙間が形成される。このため、底面片４１および４３は曲線切れ目Ｙおよび舌片４５の隙間に沿って嵌入し易くなり、折り目Ｈの位置から山形状に折れながら、ケースの内方へ滑りながら嵌入し係止する。底面片４１は係止された後、舌片４５によってケースの内方から押圧されるので一旦係止すると外れ難い。対向側の底面片４３の係止についても同様である。一方、底面片４１の両端部４１ｃ、４１ｄ（図２、３に示す）は、周壁片３２、３４からケースの内方へ不勢されながら嵌入する。底部が閉じた後は、底面片４１の両端部４１ｃ、４１ｄの先方が周壁面から不勢された状態にあるので、段ボールケースへ横からの荷重に対し、段ボールケース２００の捩れを防止する効果がある。対向の底面片４３についても同様である。実際に使用する段ボールケースを逆さに底部４０を下にした状態では、段ボールケースの中に入れた青果物の重みによって、内方から段ボールケースの前後方向の底面片４２と底面片４４との係合が深くなり、遂には嵌合凹部４６の両側の角部４６ａ、４６ｂ（図１に示す）が嵌合凸部４７の角部４７ａ、４７ｂ（図１に示す）に係止する。中に入れる青果物が重いほど四つの底面片の係止度合いが強くなり、従来対比２割以上の係止強度が得られる。以上、底面片の係止作用については、他の実施例についても同様である。
【００２７】
次に、蓋面片の係止について説明する。図５に蓋面片１４を係止した状態を示す。蓋面片１１および１３に曲線切れ目Ｕが円弧状に形成されているので、蓋面片１４は、折り目Ｇの位置から山形状に折れて、曲線切れ目Ｕおよび舌片１５によって形成される隙間に沿って、滑りながら嵌入し遂には係止孔１６に係止孔１７が係止する。もう一方の蓋面片１２の係止についても同様である。この場合、大根等個々に大きさが異なる青果物を入れても前後の蓋面片が上下に滑りながら拡開できる構造なので、青果物の大きさに応じて蓋を係止することができる。
【実施例２】
【００２８】
次に、本発明の実施例２ついて、図６〜図１０を参照しながら説明する。図６は、本実施例の段ボールケース２００の展開図で、段ボール１００である。図７は、同上、蓋部を閉じる途中の状態の斜視図である。図８は、同上、係止片を係止する前の状態の斜視図である。図９は、同上、係止片を係止する途中の拡大斜視図である。図１０は、同上、係止片を係止した後の状態の斜視図である。
【００２９】
本実施例の実施例１との主たる相違点は、蓋面片の折り上げ方法および蓋面片の係止手段が異なるところにある。
【００３０】
図６に示すように、ほぼ矩形状をした段ボール１００は、左右方向の複数の折り目を介して、上下方向に蓋部１０、周壁部３０および底部４０に三分割されることは実施例１と同様である。上下方向に蓋部、周壁部および底部が三分割されるように、上から折り目Ａを左右方向に備え、これに平行に折り目Ｂ、そして、これらに平行に底部４０に二箇所の折り目Ｈを備える。そして、二段目の周壁部３０には上記した折り目に対し直角方向に左から折り目Ｃ、折り目Ｄ、折り目Ｅおよび折り目Ｆをそれぞれ平行に備える。一段目の蓋部１０は切れ目を介して左右に蓋面片１１、１２、１３および１４に分割される。蓋面片１３は斜め折り目Ｌを介して蓋面片１３ａ、１３ｂに分割される。そして、蓋面片１３ｂの左端部には折り目Ｍを介して係止片２０が連設し、この係止片２０は係止片２０ａ、２０ｂからなる。なお、蓋面片１１、１２および１４は蓋部を閉じる際に折り上げ易いように片角あるいは両角を落とした形状である。二段目の周壁部３０については、折り目を介して左右に周壁面３１、３２、３３および３４に分割される。右端は糊代片３５である。周壁面３１および３３には指孔３６を備える。周壁面３２には、右上に折り目Ｎを介して覆い３７を備える。そして、この覆い３７の上方で、折り目Ａの近傍に角部３８を備える。この角部３８は覆い３７を折り曲げた跡の切込み穴上辺に位置する。三段目の底部４０は折り目Ｈ、舌片４５等実施例１と全く同様である。
【００３１】
蓋部１０の蓋面片の折り込みを容易にするために蓋面片に角落ちを施すとともに、蓋面片を二段階に係止する構成が本実施例の特徴である。
【００３２】
段ボール１００は以上の構成であり、以下に実施例１とは異なる蓋面部１０を折り上げ、閉じる手順について説明する。
【００３３】
実施例１と同様、周壁部３０から折り上げ、次に、底部４０を折り上げた後、蓋面部１０を折り込む。先ず、蓋面片１３を折り目Ａの位置から内方へ９０度折り曲げる。次に、蓋面片の角を直前に折り曲げた蓋面片の角に被せるように、時計廻りに蓋面片１４、蓋面片１１および蓋面片１２を順次折り曲げる。ここで、蓋面片に施した角落ちによって蓋面片の折り上げが容易になる。最後に、蓋面片１２を折り曲げる際に、図７に示すように、蓋面片１３の折り目Ｌ（図６に示す）の位置から蓋面片１３ｂを外方へ折り曲げることによって蓋面片１２を内方へ折り曲げ易くする。そして、図８に示すように、蓋面片１３ｂを折り目Ｌの位置から蓋面片１２の角を被うように折り戻す。次に、蓋面片を周壁に係止する。即ち、図９に示すように、係止片２０を折り目Ｍの位置から周壁面の方へ曲げ、さらに周壁面３２に備える覆い３７上部の切込み穴からケースの内方へ折り曲げる。次いで、係止片２０を外側から被うように覆い３７を被せる。この状態を図１０に示す。
【００３４】
以上のようにして段ボール１００から段ボールケース２００へと折り上げられ、次に作用について説明する。
【００３５】
蓋面片の係止について説明する。図１０は蓋面片を閉じ、蓋面片が周壁面に係止した状態を示す。その前の段階の図８、９に示すように、係止片２０の側端部には、外方から係止溝２１ａ、２１ｂを備えるので、二段の係止が可能である。本実施例では、係止溝２１を二箇所備えることで説明したが、一箇所でもよく、あるいは必要に応じて多数の係止溝を備え、多段の係止手段を構成することは十分可能である。一方、蓋面片３２に備える覆い３７の上方で、折り目Ａの近傍に角部３８を備える。この角部３８は覆い３７を折り曲げた跡の切り抜き穴上辺に備える（図６、８に示す）。図８、９の状態から、第一の係止溝２１ａを角部３８に嵌合させることにより、蓋面片１３ｂと周壁面３２が係止し、この場合、蓋面片１３はケースの外方へ膨らんで閉じる。第二の係止溝２１ｂを角部３８に嵌合させる場合は、蓋面片１３は小さく閉じる。このように、第一、第二の係止溝を使い分けることによって、大根等個々に生育の大きさが異なる青果物を複数個入れても蓋をケースの外へ拡開させて係止できる構成なので、青果物の大きさに応じて蓋部を二段階に係止することができる。
【実施例３】
【００３６】
次に、本発明の実施例３ついて、図１１〜図１３を参照しながら説明する。図１１は、本実施例の段ボールケース２００の展開図で、段ボール１００である。図１２は、同上、蓋部を閉じる途中の状態の斜視図である。図１３は、同上、蓋部を閉じる途中の拡大斜視図である。
【００３７】
本実施例の実施例１との主たる相違点は、蓋面片の折り込み方法および蓋面片の係止手段が異なるところにある。
【００３８】
図１１に示すように、ほぼ矩形状をした段ボール１００は、左右方向の複数の折り目に沿って、上下方向に蓋部１０、周壁部３０および底部４０に三分割されることは実施例１と同様である。上下方向に蓋部、周壁部および底部が三分割されるように、上から折り目Ａを左右方向に備え、これに平行に折り目Ｂ、そして、これらに平行に底部４０に二箇所の折り目Ｈを備える。そして、二段目の周壁部３０には上記した折り目に対し直角方向に左から折り目Ｃ、折り目Ｄ、折り目Ｅおよび折り目Ｆをそれぞれ平行に備える。一段目の蓋部１０は切れ目を介して左右に蓋面片１１、１２、１３および１４に分割される。そして、蓋面片１１、１３には、それぞれ、蓋片２３と舌片２４とがセットで左右に備えられる。蓋片２３には折り目Ｒ、舌片２４には折り目Ｑを備える。また、蓋面片１２、１４の左右上端部には、それぞれ、係止片１８を備える。係止片１８には折り目Ｐを備える。二段目の周壁部３０および三段目の底部４０は、実施例１と全く同様である。
【００３９】
上部１０の蓋面片を係止する構成が本実施例の特徴である。
【００４０】
段ボール１００は以上の構成であり、以下に実施例１とは異なる蓋面部を折り上げ、係止する手順について説明する。
【００４１】
実施例１と同様、周壁部３０から折り上げ、次に、底部４０を折り上げた後、蓋面部１０を折り込む。先ず、左右の蓋面片１１および対向する蓋面片１３を折り目Ａの位置から内方へ９０度折り曲げる。次に、これらの蓋面片に被せるように、蓋面片１２を折り曲げる。次に、図１２に示すように、蓋面片１２を蓋面片１１および蓋面片１３に係止する。同様に、蓋面片１４を蓋面片１１および蓋面片１３に係止して、蓋面を閉じる。
【００４２】
以上のようにして段ボール１００から段ボールケース２００へと折り上げられ、次に作用について説明する。
【００４３】
蓋面片の係止について説明する。図１３に係止部の拡大図を示す。先ず、蓋面片１１に備える舌片２４を折り目Ｑの位置から、蓋片２３を折り目Ｒの位置からケースの内方へ折り曲げる。そして、蓋面片１２に備える係止片１８を折り目Ｐの位置から折り曲げ舌片２４の上に嵌入し、次いで、蓋片２３を係止片１８の上から被せる。即ち、ケースの外方から内方へ蓋片２３、係止片１８、舌片２４が重なる。この時、係止片１８の角部２５（図１２に示す）が蓋片２３を折り曲げた跡に形成される角部２６（図１２に示す）に係止する。このように、係止片１８を蓋片２３と舌片２４によって上下から挟むので、蓋片２３と舌片２４の折り曲げによる復元力によって係止片１８が外れ難いうえ、係止片１８の角部２５が角部２６に係止されることによって、係止片１８が蓋面片１１に確実に止まる。蓋面片１３についても同様である。また、蓋片２３は、これらの係止孔を塞ぐ作用をするのでケースの中へ塵が侵入するのを防止する効果がある。
【実施例４】
【００４４】
次に、本発明の実施例４ついて、図１４を参照しながら説明する。図１４は、本実施例の段ボールケース２００の展開図で、段ボール１００である。
【００４５】
本実施例の実施例１との主たる相違点は、底部の係止手段が異なるところにある。
【００４６】
図１４に示すように、ほぼ矩形状をした段ボール１００は、左右方向の折り目に沿って、上下方向に蓋部１０、周壁部３０および底部４０に三分割されることは実施例１とほぼ同様である。ただ、底部４０の係止手段が異なるので、このことについて説明する。底面片４２の先端左部に嵌合凸部４７とこの右に嵌合凹部４６を備える。底面片４４についても同様である。また、それぞれ嵌合凸部４７と嵌合凹部４６との境界の隅には角部５０を備える。
【００４７】
このように底部４０を係止する構成が本実施例の特徴である。
【００４８】
段ボール１００は以上の構成であり、以下に、実施例１とは異なる部分の折り上げの手順および作用について説明する。
【００４９】
底面片４４を折り目Ｂの位置から内方へ９０度以上折り曲げ、次に、対向側から底面片４２を折り目Ｂの位置から内方へ９０度以上折り曲げる。次いで、底面片４２の嵌合凹部４６を底面片４４の嵌合凸部４７に係止する。このことが実施例１と異なる。次いで、底面片４１および４３を折り目Ｈの位置から折り曲げ先方の底面片４１ａの両端部を両側の舌片４５の上から曲線切れ目Ｙに沿ってケースの内方へ嵌入する。このようにして、底部を係止し閉じる。
【００５０】
底部４０が四枚の底面片における相互の係合によって凹みが形成される。段ボールケースの中の青果物の重みによって、内側から段ボールケースの前後方向の底面片４２と底面片４４との係止が深くなり、遂には嵌合凹部４６と嵌合凸部４７の角部５０同士が相互に係止する。中の青果物が重いほど四つの底面片の係止が強くなり、従来対比２割強の係止強度が得られる。
【産業上の利用可能性】
【００５１】
なお、本発明の使途は大根、白菜等の比較的重量のある青果物に好適である。
【図面の簡単な説明】
【００５２】
【図１】実施例１の段ボールケース２００の展開図で、段ボール１００である。
【図２】同上、底部を閉じる途中で二つの底面片を係止した状態の斜視図である。
【図３】同上、底部を閉じる途中で、三つの底面片を係止した状態の斜視図である。
【図４】同上、底部を閉じた状態の斜視図である。
【図５】同上、蓋部を閉じる途中の状態の斜視図である。
【図６】実施例２の段ボールケース２００の展開図で、段ボール１００である。
【図７】同上、蓋部を閉じる途中の状態の斜視図である。
【図８】同上、蓋部を閉じる途中の状態の斜視図である。
【図９】同上、蓋部を閉じる途中の拡大斜視図である。
【図１０】同上、蓋部を閉じた状態の斜視図である。
【図１１】実施例３の段ボールケース２００の展開図で、段ボール１００である。
【図１２】同上、蓋部を閉じる途中の状態の斜視図である。
【図１３】同上、蓋部を閉じる途中の拡大斜視図である。
【図１４】実施例４の段ボールケース２００の展開図で、段ボール１００である。
【符号の説明】
【００５３】
１００  段ボール
２００  段ボールケース
１０  蓋部
１１、１２、１３、１４  蓋面片
１２ａ、１２ｂ  蓋面片
１４ａ、１４ｂ  蓋面片
１５  舌片
１６  係止孔
１７  係止孔
１８  係止片
１９  指孔
２０  係止片
２０ａ、２０ｂ  係止片
２１  係止溝
２１ａ  係止溝
２１ｂ  係止溝
２３  蓋片
２４  舌片
２５  角部
２６  角部
３０  周壁部
３１、３２、３３、３４  周壁面
３５  糊代片
３６  指孔
３７  覆い
３８  角部
４０  底部
４１、４２、４３、４４  底面片
４１ａ、４１ｂ  底面片
４１ｃ、４１ｄ  端部
４３ａ、４３ｂ  底面片
４３ｃ、４３ｄ  端部
４５  舌片
４６  嵌合凹部
４６ａ、４６ｂ  角部
４７  嵌合凸部
４７ａ、４７ｂ  角部
４８  係止孔
４９  係止孔
５０  角部
Ａ〜Ｒ  折り目
Ｌ  斜め折り目
Ｓ、Ｔ、Ｖ、Ｗ、Ｘ、Ｚ  切れ目
Ｕ  曲線切れ目
Ｙ  曲線切れ目
【図１】
0004718794.tif 000002
【図２】
0004718794.tif 000003
【図３】
0004718794.tif 000004
【図４】
0004718794.tif 000005
【図５】
0004718794.tif 000006
【図６】
0004718794.tif 000007
【図７】
0004718794.tif 000008
【図８】
0004718794.tif 000009
【図９】
0004718794.tif 000010
【図１０】
0004718794.tif 000011
【図１１】
0004718794.tif 000012
【図１２】
0004718794.tif 000013
【図１３】
0004718794.tif 000014
【図１４】
0004718794.tif 000015